(57)【要約】【課題】着脱可能な記録媒体に動画像を記録する際に、他機種の機器においても、当該記録媒体に記録されている動画像がどのようなものであるのかを把握できるようにする。【解決手段】記録処理部１３において、撮像部１２で撮像された動画像を着脱可能な記録媒体１８に記録する。そして、制御部１７において、記録媒体１８に記録された動画像から静止画像を抽出し、抽出した静止画像に対して前記動画像に係る動画像情報を付加する。その後、記録処理部１３において、動画像情報が付加された静止画像を記録媒体１８に記録する。【選択図】図１
2009253457.tif 000002
【特許請求の範囲】
【請求項１】
画像の記録および再生が可能に構成された記録再生装置であって、
撮像手段で撮像された動画像を着脱可能な記録媒体に記録する記録手段と、
前記記録媒体に記録された動画像から静止画像を抽出する抽出手段と、
前記抽出手段で抽出された静止画像に対して前記動画像に係る動画像情報を付加する付加手段と
を有し、
前記記録手段は、前記付加手段で前記動画像情報が付加された静止画像を前記記録媒体に記録することを特徴とする記録再生装置。
【請求項２】
画像の記録および再生が可能に構成された記録再生装置であって、
撮像手段で撮像された動画像を着脱可能な記録媒体に記録する記録手段と、
前記記録媒体に記録された動画像から一定の時間間隔で静止画像を抽出する抽出手段と、
前記抽出手段で抽出された静止画像に対して前記動画像に係る動画像情報を付加する付加手段と
を有し、
前記記録手段は、前記付加手段で前記動画像情報が付加された静止画像を前記記録媒体に記録することを特徴とする記録再生装置。
【請求項３】
画像の記録および再生が可能に構成された記録再生装置であって、
撮像手段で撮像された動画像を着脱可能な記録媒体に記録する記録手段と、
前記動画像の撮像の際に入力された音声を処理する音声処理手段と、
前記記録媒体に記録された動画像から静止画像を抽出する抽出手段と、
前記抽出手段で抽出された静止画像に対して前記動画像に係る動画像情報を付加する付加手段と
を有し、
前記記録手段は、前記付加手段で前記動画像情報が付加された静止画像を前記記録媒体に記録するとともに、当該静止画像と関連付けて前記音声処理手段で処理された音声に基づく音声データを前記記録媒体に記録することを特徴とする記録再生装置。
【請求項４】
画像の記録および再生が可能に構成された記録再生装置であって、
撮像手段で撮像された動画像を着脱可能な記録媒体に記録する記録手段と、
前記記録媒体への前記動画像の記録中に静止画像をキャプチャして、当該静止画像を抽出する抽出手段と、
前記抽出手段で抽出された静止画像に対して前記動画像に係る動画像情報を付加する付加手段と
を有し、
前記記録手段は、前記付加手段で前記動画像情報が付加された静止画像を前記記録媒体に記録することを特徴とする記録再生装置。
【請求項５】
前記記録手段は、前記動画像を、前記記録媒体に構成される第１のファイル構造に第１のフォーマットで記録し、前記静止画像を、前記記録媒体に構成される第２のファイル構造に第２のフォーマットで記録することを特徴とする請求項１乃至４のいずれか１項に記載の記録再生装置。
【請求項６】
前記撮像手段と、
前記記録媒体に記録された動画像を再生する再生手段と、
前記再生手段において再生された動画像を表示する表示手段と、
前記動画像の記録に係るモードを設定するための操作手段と
を更に有することを特徴とする請求項１乃至５のいずれか１項に記載の記録再生装置。
【請求項７】
前記操作手段は、前記記録媒体に前記動画像を記録する際に前記静止画像も記録する設定の操作が行えるものであることを特徴とする請求項６に記載の記録再生装置。
【請求項８】
前記動画像情報は、前記記録媒体に記録された動画像の容量および当該動画像の時間に係る情報を含むことを特徴とする請求項１乃至７のいずれか１項に記載の記録再生装置。
【請求項９】
画像の記録および再生が可能に構成された記録再生装置の駆動方法であって、
撮像手段で撮像された動画像を着脱可能な記録媒体に記録する第１の記録ステップと、
前記記録媒体に記録された動画像から静止画像を抽出する抽出ステップと、
前記抽出ステップで抽出された静止画像に対して前記動画像に係る動画像情報を付加する付加ステップと、
前記付加ステップで前記動画像情報が付加された静止画像を前記記録媒体に記録する第２の記録ステップと
を有することを特徴とする記録再生装置の駆動方法。
【請求項１０】
画像の記録および再生が可能に構成された記録再生装置の駆動方法であって、
撮像手段で撮像された動画像を着脱可能な記録媒体に記録する第１の記録ステップと、
前記記録媒体に記録された動画像から一定の時間間隔で静止画像を抽出する抽出ステップと、
前記抽出ステップで抽出された静止画像に対して前記動画像に係る動画像情報を付加する付加ステップと、
前記付加ステップで前記動画像情報が付加された静止画像を前記記録媒体に記録する第２の記録ステップと
を有することを特徴とする記録再生装置の駆動方法。
【請求項１１】
画像の記録および再生が可能に構成された記録再生装置の駆動方法であって、
撮像手段で撮像された動画像を着脱可能な記録媒体に記録する第１の記録ステップと、
前記動画像の撮像の際に入力された音声を処理する音声処理ステップと、
前記記録媒体に記録された動画像から静止画像を抽出する抽出ステップと、
前記抽出ステップで抽出された静止画像に対して前記動画像に係る動画像情報を付加する付加ステップと、
前記付加ステップで前記動画像情報が付加された静止画像を前記記録媒体に記録するとともに、当該静止画像と関連付けて前記音声処理ステップで処理された音声に基づく音声データを前記記録媒体に記録する第２の記録ステップと
を有することを特徴とする記録再生装置の駆動方法。
【請求項１２】
画像の記録および再生が可能に構成された記録再生装置の駆動方法であって、
撮像手段で撮像された動画像を着脱可能な記録媒体に記録する第１の記録ステップと、
前記記録媒体への前記動画像の記録中に静止画像をキャプチャして、当該静止画像を抽出する抽出ステップと、
前記抽出ステップで抽出された静止画像に対して前記動画像に係る動画像情報を付加する付加ステップと、
前記付加ステップで前記動画像情報が付加された静止画像を前記記録媒体に記録する第２の記録ステップと
を有することを特徴とする記録再生装置の駆動方法。
【発明の詳細な説明】
【技術分野】
【０００１】
本発明は、画像の記録及び再生が可能に構成された記録再生装置及びその駆動方法に関するものである。
【背景技術】
【０００２】
近年、従来のビデオテープに代わって、ＤＶＤやメモリカードなどの着脱可能な記録媒体へ記録を行う製品が主流となってきている。デジタルビデオカメラにおいても、このような着脱可能な記録媒体への記録を行うものが製品化されている。また、ハイビジョン映像で記録するための規格としてＡＶＣＨＤ（Ａｄｖａｎｃｅｄ  Ｖｉｄｅｏ  Ｃｏｄｅｃ  Ｄｅｆｉｎｉｔｉｏｎ）規格が策定され、ＤＶＤやメモリカードにハイビジョン映像を記録するデジタルビデオカメラも製品化されている。
【０００３】
また、着脱可能な記録媒体であるメモリカードの容量も大容量化してきており、今後は、さまざまな製品でメモリカードを使いまわして使用することが考えられる。デジタルビデオカメラで動画を記録する規格としてはＡＶＣＨＤやＳＤ−Ｖｉｄｅｏがあり、また、デジタルスチルカメラで静止画を記録する規格としてはＤＣＦが主流である。このように、製品（機種）ごとに画像データを保存する規格は様々であり、保存する規格が異なると、どのような画像ファイルが保存されているのかを確認することができない。
【０００４】
そこで、従来、デジタルスチルカメラでは、Ｅｘｉｆ（Ｅｘｃｈａｎｇｅａｂｌｅｉｍａｇｅ  ｆｉｌｅ  ｆｏｒｍａｔ）規格で保存されるデジタルスチルカメラとＪｆｉｆ（ＪＰＥＧ  ｆｉｌｅ  ｉｎｔｅｒｃｈａｎｇｅ  ｆｏｒｍａｔ）規格で保存されるデジタルスチルカメラとの互換性を保つために、Ｅｘｉｆ規格のカメラファイルとは別にサムネイル画像のサムネイルファイルも記録するものがある（特許文献１参照）。
【０００５】
また、デジタルカメラで撮像された静止画像や動画像をパーソナルコンピュータで再生する際に、記録されたファイル形式によっては、パーソナルコンピュータに予め汎用的に記録されているソフトウェアで再生できない場合がある。そこで、従来、デジタルカメラに装着された記録媒体に、そのデジタルカメラ専用のソフトウェアを記録し、その記録されたソフトウェアを用いて再生できるようにしたものもある（特許文献２参照）。
【０００６】
【特許文献１】特開２００２−２０４４２０号公報
【特許文献２】特開平１１−２９８８３９号公報
【発明の開示】
【発明が解決しようとする課題】
【０００７】
しかしながら、従来、例えば、デジタルビデオカメラで動画像を記録したメモリカード等をデジタルスチルカメラなどの他機種の機器で使い回して使用する場合、当該他機種の機器では、デジタルビデオカメラで記録した画像データを認識することができなかった。これにより、当該他機種の機器では、着脱可能な記録媒体であるメモリカードにどのような動画像ファイルが記録されているのかを確認することができなかった。
【０００８】
本発明は上述した問題点に鑑みてなされたものであり、着脱可能な記録媒体に動画像を記録する際に、他機種の機器においても、当該記録媒体に記録されている動画像がどのようなものであるのかを把握できるようにすることを目的とする。
【課題を解決するための手段】
【０００９】
本発明の記録再生装置は、画像の記録および再生が可能に構成された記録再生装置であって、撮像手段で撮像された動画像を着脱可能な記録媒体に記録する記録手段と、前記記録媒体に記録された動画像から静止画像を抽出する抽出手段と、前記抽出手段で抽出された静止画像に対して前記動画像に係る動画像情報を付加する付加手段とを有し、前記記録手段は、前記付加手段で前記動画像情報が付加された静止画像を前記記録媒体に記録する。
【００１０】
本発明の記録再生装置における他の態様は、画像の記録および再生が可能に構成された記録再生装置であって、撮像手段で撮像された動画像を着脱可能な記録媒体に記録する記録手段と、前記記録媒体に記録された動画像から一定の時間間隔で静止画像を抽出する抽出手段と、前記抽出手段で抽出された静止画像に対して前記動画像に係る動画像情報を付加する付加手段とを有し、前記記録手段は、前記付加手段で前記動画像情報が付加された静止画像を前記記録媒体に記録する。
【００１１】
また、本発明の記録再生装置におけるその他の態様は、画像の記録および再生が可能に構成された記録再生装置であって、撮像手段で撮像された動画像を着脱可能な記録媒体に記録する記録手段と、前記動画像の撮像の際に入力された音声を処理する音声処理手段と、前記記録媒体に記録された動画像から静止画像を抽出する抽出手段と、前記抽出手段で抽出された静止画像に対して前記動画像に係る動画像情報を付加する付加手段とを有し、前記記録手段は、前記付加手段で前記動画像情報が付加された静止画像を前記記録媒体に記録するとともに、当該静止画像と関連付けて前記音声処理手段で処理された音声に基づく音声データを前記記録媒体に記録する。
【００１２】
また、本発明の記録再生装置におけるその他の態様は、画像の記録および再生が可能に構成された記録再生装置であって、撮像手段で撮像された動画像を着脱可能な記録媒体に記録する記録手段と、前記記録媒体への前記動画像の記録中に静止画像をキャプチャして、当該静止画像を抽出する抽出手段と、前記抽出手段で抽出された静止画像に対して前記動画像に係る動画像情報を付加する付加手段とを有し、前記記録手段は、前記付加手段で前記動画像情報が付加された静止画像を前記記録媒体に記録する。
【００１３】
本発明の記録再生装置の駆動方法は、画像の記録および再生が可能に構成された記録再生装置の駆動方法であって、撮像手段で撮像された動画像を着脱可能な記録媒体に記録する第１の記録ステップと、前記記録媒体に記録された動画像から静止画像を抽出する抽出ステップと、前記抽出ステップで抽出された静止画像に対して前記動画像に係る動画像情報を付加する付加ステップと、前記付加ステップで前記動画像情報が付加された静止画像を前記記録媒体に記録する第２の記録ステップとを有する。
【００１４】
本発明の記録再生装置の駆動方法における他の態様は、画像の記録および再生が可能に構成された記録再生装置の駆動方法であって、撮像手段で撮像された動画像を着脱可能な記録媒体に記録する第１の記録ステップと、前記記録媒体に記録された動画像から一定の時間間隔で静止画像を抽出する抽出ステップと、前記抽出ステップで抽出された静止画像に対して前記動画像に係る動画像情報を付加する付加ステップと、前記付加ステップで前記動画像情報が付加された静止画像を前記記録媒体に記録する第２の記録ステップとを有する。
【００１５】
また、本発明の記録再生装置の駆動方法におけるその他の態様は、画像の記録および再生が可能に構成された記録再生装置の駆動方法であって、撮像手段で撮像された動画像を着脱可能な記録媒体に記録する第１の記録ステップと、前記動画像の撮像の際に入力された音声を処理する音声処理ステップと、前記記録媒体に記録された動画像から静止画像を抽出する抽出ステップと、前記抽出ステップで抽出された静止画像に対して前記動画像に係る動画像情報を付加する付加ステップと、前記付加ステップで前記動画像情報が付加された静止画像を前記記録媒体に記録するとともに、当該静止画像と関連付けて前記音声処理ステップで処理された音声に基づく音声データを前記記録媒体に記録する第２の記録ステップとを有する。
【００１６】
また、本発明の記録再生装置の駆動方法におけるその他の態様は、画像の記録および再生が可能に構成された記録再生装置の駆動方法であって、撮像手段で撮像された動画像を着脱可能な記録媒体に記録する第１の記録ステップと、前記記録媒体への前記動画像の記録中に静止画像をキャプチャして、当該静止画像を抽出する抽出ステップと、前記抽出ステップで抽出された静止画像に対して前記動画像に係る動画像情報を付加する付加ステップと、前記付加ステップで前記動画像情報が付加された静止画像を前記記録媒体に記録する第２の記録ステップとを有する。
【発明の効果】
【００１７】
本発明によれば、着脱可能な記録媒体に動画像を記録する際に、他機種の機器においても、当該記録媒体に記録されている動画像がどのようなものであるのかを把握することができる。
【発明を実施するための最良の形態】
【００１８】
以下、添付図面を参照しながら、本発明を実施するための最良の形態について説明する。
【００１９】
（第１の実施形態）
図１は、本発明の第１の実施形態に係る記録再生装置の概略構成の一例を示すブロック図である。
【００２０】
図１に示す記録再生装置１０において、レンズ１１は、被写体の光学像を記録再生装置１０の内部に導光するものである。撮像部１２は、レンズ１１を介して導光された被写体の光学像を受光して、被写体を画像（画像データ）として撮像するものである。
【００２１】
記録処理部１３は、撮像部１２で撮像された画像（画像データ）を記録媒体１８に画像ファイルとして記録する処理を行うものである。再生処理部１４は、記録媒体１８に記録された画像ファイルを再生する処理を行うものである。
【００２２】
表示部１５は、再生処理部１４において再生された画像ファイルに基づく画像の表示や、各種の選択画面を表示する表示媒体である。操作部１６は、ユーザが記録再生装置１０に対して入力指示（例えば、撮影、記録、再生などの指示）を行う際に操作されるものである。
【００２３】
制御部１７は、撮像部１２、記録処理部１３、再生処理部１４、表示部１５及び操作部１６を制御して、記録再生装置１０における動作を統括的に制御するものである。
【００２４】
記録媒体１８は、記録再生装置１０に対して着脱可能な記録媒体である。この際、記録処理部１３は、この記録媒体１８を収納できるように構成されている。
【００２５】
被写体の撮影に先立ち、撮影者（ユーザ）が操作部１６を操作してメニュー画面を開き、他機種の機器との互換モードを選択すると、その入力指示が制御部１７に入力される。そして、制御部１７は、当該入力指示に基づく制御を記録処理部１３に対して行う。
【００２６】
図２は、他機種の機器との互換モードを選択するためのメニュー画面の一例を示す模式図である。この図２に示すメニュー画面は、例えば、表示部１５に表示される。また、図２には、他機種の機器としてデジタルカメラとの互換モードを選択するためのメニュー画面が示されており、デジタルカメラとの互換モードをＯＮにするのか、或いはＯＦＦにするのかを選択できるようになっている。
【００２７】
なお、本実施形態における記録再生装置１０は、例えば、デジタルビデオカメラであり、動画像ファイルと静止画像ファイルとを記録媒体１８の異なるディレクトリに記録して保存するものである。
【００２８】
次に、図３〜図５を用いて、動画像を撮影するときの画像ファイルの生成動作について説明を行う。
【００２９】
図３は、図１に示す記録媒体１８の内部に構成されるディレクトリ構造の一例を示す模式図である。
例えばメモリカードからなる記録媒体１８内には、図３に示すように、ルートディレクトリ３１の下に、例えば、第１のファイル構造に相当するＶＩＤＥＯディレクトリ３２と、第２のファイル構造に相当するＤＣＩＭディレクトリ３３が構成される。
【００３０】
このＶＩＤＥＯディレクトリ３２は、他の規格やプロファイルなどで使用されることのないユニークなディレクトリ名でなければならない。このＶＩＤＥＯディレクトリ３２の下に、例えば、「任意の文字列＋３桁の番号」を名称とするサブディレクトリが作成される。動画像ファイルは、このサブディレクトリ内に、第１のフォーマットで生成されて記録される。この際、生成される動画像ファイルのファイル名は、例えば、「任意の文字列＋３桁の番号＋．ＭＰＧ」である。
【００３１】
また、ＤＣＩＭディレクトリ３３は、ＤＣＦルールに則り、静止画像ファイルを保存するための親ディレクトリである。このＤＣＩＭディレクトリ３３下に、例えば、「３桁の番号＋任意の文字列」を名称とするサブディレクトリが作成される。静止画像ファイルは、このサブディレクトリ内に、第２のフォーマットで生成されて記録される。この際、生成される静止画像ファイルのファイル名は、例えば、「任意の文字列＋４桁の番号＋．ＪＰＧ」である。
【００３２】
図３に示す状態は、まだ、動画像、静止画像ともに撮影されておらず、動画像ファイル及び静止画像ファイルが記録されていない状態である。
【００３３】
図４は、図１に示す記録媒体１８の内部に構成されるディレクトリ構造及び画像ファイルの一例を示す模式図である。図４において、図３に示す構成と同様のものについては、同じ符号を付している。この図４には、図２に示すメニュー画面でデジタルカメラとの互換モードがＯＮに設定された場合に、撮像部１２において動画像が撮影（撮像）されたときの記録媒体１８の内部の様子が示されている。この図４を用いて、動画像が撮影されたときの画像ファイルの生成について説明する。
【００３４】
サブディレクトリ４１は、ＶＩＤＥＯディレクトリ３２の下に作成され、主に動画像ファイルを保存するためのディレクトリである。このサブディレクトリ４１には、前述の名称規則に従って、任意の文字列を「ＭＯＶ」とした、「ＭＯＶ１０１」の名称が付けられている。このサブディレクトリ４１の作成時期の一例としては、メモリカードである記録媒体１８が記録再生装置１０に装着され、最初に撮影モードにしたときである。
【００３５】
サブディレクトリ４２は、ＤＣＩＭディレクトリ３３の下に作成され、静止画像ファイルを保存するためのディレクトリである。このサブディレクトリ４２には、前述の名称規則に従って、任意の文字列を「ＩＭＡＧＥ」とした、「１０１ＩＭＡＧＥ」の名称が付けられている。このサブディレクトリ４２の作成時期の一例としては、メモリカードである記録媒体１８が記録再生装置１０に装着され、最初に撮影モードにしたときである。
【００３６】
動画像ファイル４３は、サブディレクトリ４１内に生成された画像ファイルである。この動画像ファイル４３には、前述の名称規則に従って、任意の文字列を「ＡＢＣ」とした、「ＡＢＣ００１．ＭＰＧ」の名称が付けられている。
【００３７】
静止画像ファイル４４は、サブディレクトリ４２内に生成された画像ファイルである。この静止画像ファイル４４には、前述の名称規則に従って、任意の文字列を「ＤＥＦＧ」とした、「ＤＥＦＧ０００１．ＪＰＧ」の名称が付けられている。この静止画像ファイル４４は、例えば、他機種の機器であるデジタルカメラとの互換モードがＯＮに設定されている場合には、動画の撮影が終了したときに生成されるものであり、例えば、Ｅｘｉｆ規格のファイルフォーマットに準拠して生成される。この場合、静止画像ファイル４４には、動画像ファイル４３に対応した後述の動画像情報が付加される。
【００３８】
図５は、本発明の第１の実施形態に係る記録再生装置の駆動方法における処理手順の一例を示すフローチャートである。この図５には、撮像部１２において動画像が撮影（撮像）された場合に、当該動画像から静止画像を生成する際の制御部１７の制御が示されている。
【００３９】
まず、ステップＳ５０１において、制御部１７は、記録処理部１３に対して、撮像部１２において撮影（撮像）された動画像の記録媒体１８への記録終了を確認する。
【００４０】
動画像の記録終了を確認すると、続いて、ステップＳ５０２において、制御部１７は、他機種の機器との互換モード（互換記録に係るモード）がＯＮに設定されているか否かを判断する。ここで、他機種の機器との互換モードに関する設定は、上述した図２に示すメニュー画面による選択によりなされる。
【００４１】
ステップＳ５０２の判断の結果、他機種の機器との互換モードがＯＮに設定されている場合には、ステップＳ５０３に進む。ステップＳ５０３に進むと、制御部１７は、ステップＳ５０１で記録した動画像から静止画像を抽出する。この際、抽出する静止画像は、ステップＳ５０１で記録した動画像の１フレーム目の画像でも、或いは、ステップＳ５０１で記録した動画像の内容を一番に表している画像でもよい。
【００４２】
続いて、ステップＳ５０４において、制御部１７は、ステップＳ５０３で抽出した静止画像に対して、動画像の内容を表す静止画像であることを示す文字や、動画像のファイル容量、動画の撮影時間（動画像の記録時間）などの動画像情報を付加する。この場合、付加される動画像情報は、ステップＳ５０１で記録した動画像に対応したものとなる。その後、制御部１７は、記録処理部１３を制御して、記録処理部１３に、動画像情報が付加された静止画像を記録媒体１８へ記録させる。そして、処理を終了する。
【００４３】
一方、ステップＳ５０２の判断の結果、他機種の機器との互換モードがＯＮに設定されていない場合（即ち、ＯＦＦに設定されている場合）には、静止画像の生成を行わず、処理を終了する。
【００４４】
上述した図５に示すフローチャートでは、他機種の機器との互換モードがＯＮに設定されている場合には、当該他機種の機器において互換再生ができる静止画像が生成される。一方、他機種の機器との互換モードがＯＦＦに設定されている場合には、当該他機種の機器において互換再生ができる静止画像は生成されない。
【００４５】
図６は、図１に示す記録媒体１８の内部に構成されるディレクトリ構造及び画像ファイルの一例を示す模式図であり、図５に示す動作をユーザの操作に従って繰り返し行ったときの記録媒体１８の内部の様子が示されている。また、図６において、図４に示す構成と同様のものについては、同じ符号を付している。
【００４６】
サブディレクトリ６１は、ＶＩＤＥＯディレクトリ３２の下に作成されたディレクトリであり、サブディレクトリ４１と同様に動画像を保存するためのディレクトリである。この際、サブディレクトリ６１には、前述の名称規則に従って、「ＭＯＶ１０２」の名称が付けられている。
【００４７】
サブディレクトリ６２は、ＤＣＩＭディレクトリ３３の下に作成されたディレクトリであり、サブディレクトリ４２と同様に静止画像ファイルを保存するためのディレクトリである。この際、サブディレクトリ６２には、前述の名称規則に従って、「１０２ＩＭＡＧＥ」の名称が付けられている。
【００４８】
動画像ファイル６３は、サブディレクトリ４１内に生成された画像ファイルである。また、動画像ファイル６４及び６５は、サブディレクトリ６１内に生成された画像ファイルである。
【００４９】
静止画像ファイル６６は、サブディレクトリ４２内に生成された画像ファイルである。この静止画像ファイル６６には、動画像ファイル６３に対応した動画像情報が付加されている。
【００５０】
静止画像ファイル６７は、サブディレクトリ６２内に生成された画像ファイルである。この静止画像ファイル６７には、動画像ファイル６４に対応した動画像情報が付加されている。また、静止画像ファイル６８は、サブディレクトリ６２内に生成された画像ファイルである。この静止画像ファイル６８には、動画像ファイル６５に対応した動画像情報が付加されている。
【００５１】
静止画像ファイル６９は、撮像部１２において通常に撮影（撮像）された静止画像の画像ファイルであり、サブディレクトリ６２内に保存されている。
【００５２】
なお、これまで説明してきた動画の規格は、ＳＤ−Ｖｉｄｅｏであるが、ハイビジョン画質で動画像を記録するためのＡＶＣＨＤであってもよい。
【００５３】
図７は、動画像情報が付加された静止画像を再生処理した際のイメージの一例を示す図である。ここで、図７に示すイメージ図は、本例では、他機種の機器であるデジタルカメラで再生された際のもの想定しているが、例えば、本実施形態の記録再生装置１０（デジタルビデオカメラ）の再生処理部１４により再生されたものであってもよい。
【００５４】
図７（ａ）は、動画像情報が付加された静止画像を１枚ピックアップして再生した際のイメージの一例を示している。
図７（ａ）に示す１枚の静止画像７０には、当該静止画像７０が動画像の内容を表す静止画像であることを示すインデックス７１と、動画像ファイルの容量７２と、動画像の記録時間７３などの動画像情報が示されている。なお、図７（ａ）に示すインデックス７１は、静止画像７０が単に動画像の内容を表す静止画像であることのみを示す情報であるが、例えば、当該動画像を特定する情報を更に示すものであってもよい。
【００５５】
このように、静止画像７０に動画像情報を付加することにより、記録媒体１８にどのような動画像が記録されているのかを確認することが可能になる。
【００５６】
図７（ｂ）は、図７（ａ）に示す静止画像７０を含む静止画像を再生して一覧表示した際のイメージの一例を示している。
図７（ｂ）のように静止画像を一覧表示したときでも、図７（ａ）と同様に、静止画像７０には、動画像のインデックス７１、動画像ファイルの容量７２、及び、動画像の記録時間７３などの動画像情報が示されている。この一覧表示により、各静止画像について、動画像の情報を表示するために生成された静止画像なのか、或いは、撮像部１２で撮影（撮像）された静止画像なのかを確認することができる。
【００５７】
以上説明したように、第１の実施形態における記録再生装置１０では、以下の処理動作を行うようにしている。
まず、撮像部１２で撮像された動画像を着脱可能な記録媒体１８に記録し（Ｓ５０１：第１の記録ステップ）、記録媒体１８に記録された動画像から静止画像を抽出するようにしている（Ｓ５０３）。そして、抽出した静止画像に対して前記動画像に係る動画像情報を付加し（Ｓ５０４）、当該動画像情報が付加された静止画像を記録媒体１８に記録するようにしている（Ｓ５０４：第２の記録ステップ）。
かかる構成によれば、着脱可能な記録媒体に動画像を記録する際に、他機種の機器においても、当該記録媒体に記録されている動画像がどのようなものであるのかを把握することができる。具体的に、例えば、デジタルビデオカメラでメモリカード等に記録した動画像の情報を他機種の機器であるデジタルスチルカメラなどで確認することが可能となる。
【００５８】
（第２の実施形態）
図８は、本発明の第２の実施形態に係る記録再生装置の概略構成の一例を示すブロック図である。図８において、図１に示す機能構成と同様のものについては、同じ符号を付している。
【００５９】
第２の実施形態における記録再生装置２０では、第１の実施形態における記録再生装置１０の制御部における制御の内容が異なるため、図８では、これを制御部８７として示している。この制御部８７による制御の内容について、図９を用いて説明する。
【００６０】
図９は、本発明の第２の実施形態に係る記録再生装置の駆動方法における処理手順の一例を示すフローチャートである。この図９には、撮像部１２において動画像が撮影（撮像）された場合に、当該動画像から静止画像を生成する際の制御部８７の制御が示されている。
【００６１】
まず、ステップＳ９０１において、制御部８７は、記録処理部１３に対して、撮像部１２において撮影（撮像）された動画像の記録媒体１８への記録終了を確認する。
【００６２】
動画像の記録終了を確認すると、続いて、ステップＳ９０２において、制御部８７は、他機種の機器との互換モード（互換記録に係るモード）がＯＮに設定されているか否かを判断する。ここで、他機種の機器との互換モードに関する設定は、上述した図２に示すメニュー画面による選択によりなされる。
【００６３】
ステップＳ９０２の判断の結果、他機種の機器との互換モードがＯＮに設定されている場合には、ステップＳ９０３に進む。ステップＳ９０３に進むと、制御部８７は、変数ｎを０に設定し、変数ｍを１に設定して、変数の初期化を行う。ここで、変数ｍ及び変数ｎは、時間の変数であり、例えば、分を単位とするものである。
【００６４】
続いて、ステップＳ９０４において、制御部８７は、時間ｎに、ステップＳ９０１で記録した動画の時間（動画像の記録時間）を代入する。これにより、動画像の記録時間ｎ（分）が設定される。
【００６５】
続いて、ステップＳ９０５において、制御部８７は、ステップＳ９０１で記録した動画像の最初のフレームを静止画像として抽出する。
【００６６】
続いて、ステップＳ９０６において、制御部８７は、ステップＳ９０５で抽出した静止画像に対して、動画像の内容を表す静止画像であることを示す文字や、動画像のファイル容量、動画の撮影時間（動画像の記録時間）などの動画像情報を付加する。この場合、付加される動画像情報は、ステップＳ９０１で記録した動画像に対応したものとなる。その後、制御部８７は、記録処理部１３を制御して、記録処理部１３に、動画像情報が付加された静止画像を記録媒体１８へ記録させる。
【００６７】
続いて、ステップＳ９０７において、制御部８７は、時間ｍ（分）が動画像の記録時間ｎ（分）よりも小さいか否かを判断する。
【００６８】
ステップＳ９０７の判断の結果、時間ｍ（分）が動画像の記録時間ｎ（分）よりも小さい場合には、ステップＳ９０８に進む。ステップＳ９０８に進むと、制御部８７は、ステップＳ９０１で記録した動画像のｍ（分）のところのフレームを静止画像として抽出する。
【００６９】
続いて、ステップＳ９０９において、制御部８７は、ステップＳ９０８で抽出した静止画像に対して、上述した動画像情報を付加する。
【００７０】
続いて、ステップＳ９１０において、制御部８７は、記録処理部１３を制御して、記録処理部１３に、ステップＳ９０８で動画像情報が付加された静止画像を、ステップＳ９０６で記録された静止画像とグループ化して記録媒体１８に記録させる。
【００７１】
続いて、ステップＳ９１１において、制御部８７は、時間ｍ（分）に１を加算して、時間を示す変数ｍ（分）をインクリメントする。その後、ステップＳ９０７に戻る。
【００７２】
一方、ステップＳ９０７の判断の結果、時間ｍ（分）が動画像の記録時間ｎ（分）よりも小さくない場合（即ち、以下である場合）、或いは、ステップＳ９０２で他機種の機器との互換モードがＯＮに設定されていない場合には、処理を終了する。
【００７３】
上述した図９に示すフローチャートでは、他機種の機器との互換モードがＯＮに設定されている場合には、当該他機種の機器において互換再生ができる静止画像が一定の時間間隔で生成される。一方、他機種の機器との互換モードがＯＦＦに設定されている場合には、当該他機種の機器において互換再生ができる静止画像は生成されない。
【００７４】
なお、図９では、ステップＳ９０８で静止画像を抽出する一定の時間間隔として１分を適用した例を示しているが、これに限定されるわけでなく、動画像の記録時間ｎ（分）よりも小さい時間間隔であれば、任意の時間間隔を適用することができる。
【００７５】
図１０は、図１に示す記録媒体１８の内部に構成されるディレクトリ構造及び画像ファイルの一例を示す模式図であり、図９に示す動作を行ったときの記録媒体１８の内部の様子が示されている。また、図１０において、図４に示す構成と同様のものについては、同じ符号を付している。
【００７６】
サブディレクトリ１０１は、ＤＣＩＭディレクトリ３３の下に作成され、サブディレクトリ４２と同様に、静止画像ファイルを保存するためのディレクトリである。このサブディレクトリ１０１には、前述の名称規則に従って、「１０２ＩＭＡＧＥ」の名称が付けられている。
【００７７】
動画像ファイル１０２は、ステップＳ９０１で記録された動画像ファイルであり、サブディレクトリ４１内に保存されている。
【００７８】
静止画像ファイル１０３は、撮像部１２において通常に撮影（撮像）された静止画像の画像ファイルであり、サブディレクトリ４２内に保存されている。
【００７９】
静止画像ファイル１０４〜１０７は、動画像ファイル１０２の動画像から一定の時間間隔で抽出されて生成された静止画像の画像ファイルであり、サブディレクトリ１０１内に保存されている。サブディレクトリ１０１は、動画像から抽出された静止画像が生成された際に、新たに作成される。そして、本実施形態では、同じ動画像から抽出されて生成された静止画像の静止画像ファイル１０４〜１０７を、同一のサブディレクトリ１０１に記録することで、グルーピングしている。
【００８０】
以上説明したように、第２の実施形態における記録再生装置２０では、以下の処理動作を行うようにしている。
まず、撮像部１２で撮像された動画像を着脱可能な記録媒体１８に記録し（Ｓ９０１：第１の記録ステップ）、記録媒体１８に記録された動画像から一定の時間間隔で静止画像を抽出するようにしている（Ｓ９０８）。そして、抽出した各静止画像に対して前記動画像に係る動画像情報を付加し（Ｓ９０９）、当該動画像情報が付加された静止画像をグループ化して記録媒体１８に記録するようにしている（Ｓ９１０：第２の記録ステップ）。
かかる構成によれば、着脱可能な記録媒体に動画像を記録する際に、他機種の機器においても、当該記録媒体に記録されている動画像がどのようなものであるのかを把握することができる。
【００８１】
（第３の実施形態）
図１１は、本発明の第３の実施形態に係る記録再生装置の概略構成の一例を示すブロック図である。図１１において、図１に示す機能構成と同様のものについては、同じ符号を付している。
【００８２】
第３の実施形態における記録再生装置３０では、第１の実施形態における記録再生装置１０の制御部における制御の内容が異なるため、図１１では、これを制御部１１７として示している。また、第３の実施形態における記録再生装置３０では、第１の実施形態における記録再生装置１０に対して、音声を入力するためのマイク１１８と、マイク１１８に入力した音声を処理する音声処理部１１９が追加されている。本実施形態では、撮像部１２による動画像の撮影（撮像）とともに、マイク１１８から音声の入力を行い、音声処理部１１９においてマイク１１８から入力された音声の処理が行われる。以下に、制御部１１７による制御の内容について、図１２を用いて説明する。
【００８３】
図１２は、本発明の第３の実施形態に係る記録再生装置の駆動方法における処理手順の一例を示すフローチャートである。この図１２には、撮像部１２において動画像が撮影（撮像）された場合に、当該動画像から静止画像を生成する際の制御部１１７の制御が示されている。
【００８４】
まず、ステップＳ１２０１において、制御部１１７は、記録処理部１３に対して、撮像部１２において撮影（撮像）された動画像の記録媒体１８への記録終了を確認する。この際、撮像部１２による動画像の撮影（撮像）の際には、マイク１１８から音声処理部１１９へ音声の入力が行われており、音声処理部１１９において、マイク１１８からの音声に基づく音声データの生成もなされる。
【００８５】
動画像の記録終了を確認すると、続いて、ステップＳ１２０２において、制御部１１７は、他機種の機器との互換モード（互換記録に係るモード）がＯＮに設定されているか否かを判断する。ここで、他機種の機器との互換モードに関する設定は、上述した図２に示すメニュー画面による選択によりなされる。
【００８６】
ステップＳ１２０２の判断の結果、他機種の機器との互換モードがＯＮに設定されている場合には、ステップＳ１２０３に進む。ステップＳ１２０３に進むと、制御部１１７は、ステップＳ１２０１で記録した動画像から静止画像を抽出する。この際、抽出する静止画像は、ステップＳ１２０１で記録した動画像の１フレーム目の画像でも、或いは、ステップＳ１２０１で記録した動画像の内容を一番に表している画像でもよい。
【００８７】
続いて、ステップＳ１２０４において、制御部１１７は、ステップＳ１２０３で抽出した静止画像に対して、動画像の内容を表す静止画像であることを示す文字や、動画像のファイル容量、動画の撮影時間（動画像の記録時間）などの動画像情報を付加する。この場合、付加される動画像情報は、ステップＳ１２０１で記録した動画像に対応したものとなる。その後、制御部１１７は、記録処理部１３を制御して、記録処理部１３に、動画像情報が付加された静止画像を記録媒体１８へ記録させる。
【００８８】
続いて、ステップＳ１２０５において、制御部１７は、記録処理部１３を制御して、記録処理部１３に、音声処理部１１９で生成された音声データをステップＳ１２０３で抽出した静止画像に関連付けて記録媒体１８へ記録させる。この際、音声処理部１１９で生成された音声データは、ステップＳ１２０１で記録された動画像の撮影の際に生成されたものである。その後、処理を終了する。
【００８９】
一方、ステップＳ１２０２の判断の結果、他機種の機器との互換モードがＯＮに設定されていない場合（即ち、ＯＦＦに設定されている場合）には、静止画像の生成を行わず、処理を終了する。
【００９０】
図１３は、図１に示す記録媒体１８の内部に構成されるディレクトリ構造及び画像ファイルの一例を示す模式図であり、図１３に示す動作を行ったときの記録媒体１８の内部の様子が示されている。また、図１３において、図４に示す構成と同様のものについては、同じ符号を付している。
【００９１】
ＤＣＦ規格では、画像以外のファイルとファイル番号を重複させてＤＣＦオブジェクトを構成することができる。音声ファイル１３１は、動画像ファイル４３の動画像の撮影の際にマイク１１８から入力され、音声処理部１１９で処理された音声データに基づくファイルである。この音声ファイル１３１は、動画像ファイル４３から抽出されて生成された静止画像ファイル４４のファイル番号と同じ番号「ＤＥＦＧ０００１」が付されたＷＡＶＥファイルとなっており、静止画像ファイル４４と関連付けられている。そして、音声ファイル１３１は、静止画像ファイル４４と同じサブディレクトリ４２内に記録されて保存されている。
【００９２】
以上説明したように、第３の実施形態における記録再生装置３０では、以下の処理動作を行うようにしている。
まず、撮像部１２で撮像された動画像を着脱可能な記録媒体１８に記録し（Ｓ１２０１：第１の記録ステップ）、また、動画像の撮像の際に入力された音声を処理するようにしている（Ｓ１２０１）。そして、記録媒体１８に記録された動画像から静止画像を抽出し（Ｓ１２０３）、抽出した静止画像に対して前記動画像に係る動画像情報を付加するようにしている（Ｓ１２０４）。さらに、動画像情報が付加された静止画像を記録媒体１８に記録するとともに、当該静止画像と関連付けて前記音声処理された音声に基づく音声データを記録媒体１８に記録するようにしている（Ｓ１２０４、Ｓ１２０５：第２の記録ステップ）。
かかる構成によれば、着脱可能な記録媒体に動画像を記録する際に、他機種の機器においても、当該記録媒体に記録されている動画像がどのようなものであるのかを視覚及び聴覚の両方から把握することができる。
【００９３】
（第４の実施形態）
図１４は、本発明の第４の実施形態に係る記録再生装置の概略構成の一例を示すブロック図である。図１４において、図１に示す機能構成と同様のものについては、同じ符号を付している。
【００９４】
第４の実施形態における記録再生装置４０では、第１の実施形態における記録再生装置１０の操作部における操作入力の内容、及び、制御部における制御の内容が異なるため、図１４では、これらをそれぞれ、操作部１４６及び制御部１４７として示している。操作部１４６では、動画像の記録中に所定のボタンが押されると、他機種の機器との互換記録するための静止画像をキャプチャする操作が可能となっている。以下に、制御部１４７による制御の内容について、図１５を用いて説明する。
【００９５】
図１５は、本発明の第４の実施形態に係る記録再生装置の駆動方法における処理手順の一例を示すフローチャートである。この図１５には、撮像部１２において動画像が撮影（撮像）された場合に、当該動画像から静止画像を生成する際の制御部１４７の制御が示されている。
【００９６】
まず、ステップＳ１５０１において、制御部１４７は、記録処理部１３に対して、撮像部１２において撮影（撮像）された動画像の記録媒体１８への記録終了を確認する。
【００９７】
動画像の記録終了を確認すると、続いて、ステップＳ１５０２において、制御部１４７は、他機種の機器との互換モード（互換記録に係るモード）がＯＮに設定されているか否かを判断する。ここで、他機種の機器との互換モードに関する設定は、上述した図２に示すメニュー画面による選択によりなされる。
【００９８】
ステップＳ１５０２の判断の結果、他機種の機器との互換モードがＯＮに設定されている場合には、ステップＳ１５０３に進む。ステップＳ１５０３に進むと、制御部１４７は、動画像の記録中に操作部１４６の所定のボタンが押されて、互換再生用の静止画像がキャプチャされたか否かを判断する。
【００９９】
ステップＳ１５０３の判断の結果、互換再生用の静止画像がキャプチャされた場合には、ステップＳ１５０４に進む。ステップＳ１５０４に進むと、制御部１４７は、キャプチャした静止画像を抽出する。
【０１００】
一方、ステップＳ１５０３の判断の結果、互換再生用の静止画像がキャプチャされていない場合には、ステップＳ１５０５に進む。ステップＳ１５０５に進むと、制御部１４７は、ステップＳ１５０１で記録した動画像から静止画像を抽出する。この際、抽出する静止画像は、ステップＳ１５０１で記録した動画像の１フレーム目の画像でも、或いは、ステップＳ１５０１で記録した動画像の内容を一番に表している画像でもよい。
【０１０１】
ステップＳ１５０４又はＳ１５０５の処理が終了すると、ステップＳ１５０６に進む。ステップＳ１５０６に進むと、制御部１４７は、ステップＳ１５０４又はＳ１５０５で抽出した静止画像に対して、動画像の内容を表す静止画像であることを示す文字や、動画像のファイル容量、動画の撮影時間（動画像の記録時間）などの動画像情報を付加する。この場合、付加される動画像情報は、ステップＳ１５０１で記録した動画像に対応したものとなる。その後、制御部１４７は、記録処理部１３を制御して、記録処理部１３に、動画像情報が付加された静止画像を記録媒体１８へ記録させる。そして、処理を終了する。
【０１０２】
一方、ステップＳ１５０２の判断の結果、他機種の機器との互換モードがＯＮに設定されていない場合（即ち、ＯＦＦに設定されている場合）には、互換再生用の静止画像の生成を行わず、処理を終了する。
【０１０３】
以上説明したように、第４の実施形態における記録再生装置４０では、以下の処理動作を行うようにしている。
撮像部１２で撮像された動画像を着脱可能な記録媒体１８に記録し（Ｓ１５０1：第１の記録ステップ）、記録媒体１８への動画像の記録中に静止画像をキャプチャできた場合には、当該キャプチャした静止画像を抽出するようにしている（Ｓ１５０４）。そして、抽出した静止画像に対して前記動画像に係る動画像情報を付加し（Ｓ１５０６）、動画像情報が付加された静止画像を記録媒体１８に記録するようにしている（Ｓ１５０６：第２の記録ステップ）。
かかる構成によれば、着脱可能な記録媒体に動画像を記録する際に、他機種の機器においても、当該記録媒体に記録されている動画像がどのようなものであるのかを把握することができる。
【０１０４】
なお、前述した本発明の各実施形態では、図５、図９、図１２及び図１５に示す処理を制御部で行うようにしているが、例えば、制御部による制御に基づいて、記録処理部１３で行うようにした形態であってもよい。
【０１０５】
前述した本発明の各実施形態に係る記録再生装置の駆動方法を示す図５、図９、図１２及び図１５の各ステップは、例えば、コンピュータのＣＰＵがＲＡＭやＲＯＭなどに記憶されたプログラムを実行することによって実現できる。このプログラム及び当該プログラムを記録したコンピュータ読み取り可能な記憶媒体は本発明に含まれる。
【０１０６】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体を用いることができる。また、この際の通信媒体としては、光ファイバ等の有線回線や無線回線などが挙げられる。
【０１０７】
また、本発明は、コンピュータが供給されたプログラムを実行することにより本発明の各実施形態に係る記録再生装置の機能が実現される態様に限られない。そのプログラムがコンピュータにおいて稼働しているＯＳ（オペレーティングシステム）或いは他のアプリケーションソフト等と共同して本発明の各実施形態に係る記録再生装置の機能が実現される場合も、かかるプログラムは本発明に含まれる。また、供給されたプログラムの処理の全て、或いは一部がコンピュータの機能拡張ボードや機能拡張ユニットにより行われて本発明の各実施形態に係る記録再生装置の機能が実現される場合も、かかるプログラムは本発明に含まれる。
【０１０８】
また、前述した本発明の各実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【０１０９】
【図１】本発明の第１の実施形態に係る記録再生装置の概略構成の一例を示すブロック図である。
【図２】他機種の機器との互換モードを選択するためのメニュー画面の一例を示す模式図である。
【図３】図１に示す記録媒体の内部に構成されるディレクトリ構造の一例を示す模式図である。
【図４】図１に示す記録媒体の内部に構成されるディレクトリ構造及び画像ファイルの一例を示す模式図である。
【図５】本発明の第１の実施形態に係る記録再生装置の駆動方法における処理手順の一例を示すフローチャートである。
【図６】図１に示す記録媒体の内部に構成されるディレクトリ構造及び画像ファイルの一例を示す模式図である。
【図７】動画像情報が付加された静止画像を再生処理した際のイメージの一例を示す図である。
【図８】本発明の第２の実施形態に係る記録再生装置の概略構成の一例を示すブロック図である。
【図９】本発明の第２の実施形態に係る記録再生装置の駆動方法における処理手順の一例を示すフローチャートである。
【図１０】図１に示す記録媒体の内部に構成されるディレクトリ構造及び画像ファイルの一例を示す模式図である。
【図１１】本発明の第３の実施形態に係る記録再生装置の概略構成の一例を示すブロック図である。
【図１２】本発明の第３の実施形態に係る記録再生装置の駆動方法における処理手順の一例を示すフローチャートである。
【図１３】図１に示す記録媒体の内部に構成されるディレクトリ構造及び画像ファイルの一例を示す模式図である。
【図１４】本発明の第４の実施形態に係る記録再生装置の概略構成の一例を示すブロック図である。
【図１５】本発明の第４の実施形態に係る記録再生装置の駆動方法における処理手順の一例を示すフローチャートである。
【符号の説明】
【０１１０】
１０  記録再生装置
１１  レンズ
１２  撮像部
１３  記録処理部
１４  再生処理部
１５  表示部
１６  操作部
１７  制御部
【図１】
2009253457.tif 000003
【図２】
2009253457.tif 000004
【図３】
2009253457.tif 000005
【図４】
2009253457.tif 000006
【図５】
2009253457.tif 000007
【図６】
2009253457.tif 000008
【図７】
2009253457.tif 000009
【図８】
2009253457.tif 000010
【図９】
2009253457.tif 000011
【図１０】
2009253457.tif 000012
【図１１】
2009253457.tif 000013
【図１２】
2009253457.tif 000014
【図１３】
2009253457.tif 000015
【図１４】
2009253457.tif 000016
【図１５】
2009253457.tif 000017